(57)【要約】【課題】テラスに対する日射を調節して、当該テラスをより快適に過ごせる空間とすることができる建物を得る。【解決手段】建物本体１１には平面視コ字状をなす北側壁面３１、西側壁面及び東側壁面３３に囲まれたテラス２６が設けられている。そして、西側壁面と東側壁面３３との間を橋渡すように垂壁４１が設けられている。この垂壁４１によりテラス２６に対する日射が調整されるため、テラス２６をより快適に過ごせる空間とすることができる。【選択図】図１
2008231801.tif 000002
【特許請求の範囲】
【請求項１】
外壁面の一部が凹状に形成されることによって設けられた凹状外空間を備え、該凹状外空間の上方は屋根のない吹き抜け構造となっている建物において、
前記凹状外空間に対する日射を遮る垂壁が設けられたことを特徴とする建物。
【請求項２】
前記凹状外空間は建物の下階部分からその直上の上階部分にかけて形成され、前記垂壁は下階部分と上階部分との境界部をまたぐように設けられた請求項１に記載の建物。
【請求項３】
平面視コ字状をなす三面の外壁面により前記凹状外空間が形成され、前記垂壁は、前記三面の外壁面のうち、互いに向かい合う外壁面の間を橋渡すように設けられた請求項１又は２のいずれかに記載の建物。
【請求項４】
前記凹状外空間を設けるべく一部が凹状に形成された前記外壁面と垂壁の前面とが略面一となるように、前記垂壁が設けられた請求項１乃至３のいずれかに記載の建物。
【請求項５】
平面視Ｌ字状をなす二面の外壁面により建物の角部に前記凹状外空間が形成され、前記垂壁は、前記凹状外空間内に立設された支柱と、前記両外壁面のうち一方の外壁面との間を橋渡すように設けられた請求項１又は２のいずれかに記載の建物。
【請求項６】
前記凹状外空間は平面視矩形状をなし、前記支柱は、前記二面の外壁面で形成される入隅と対角位置に設けられた請求項５に記載の建物。
【請求項７】
前記垂壁はその設置状態が変更可能となるように構成された請求項１乃至６のいずれかに記載の建物。
【請求項８】
前記垂壁が昇降自在に構成され、この垂壁の昇降により該垂壁の設置状態が変更可能とされた請求項７に記載の建物。
【請求項９】
前記垂壁は、垂壁本体と、該垂壁本体に対して上下方向に移動して垂壁の上下長さを延長する延長部材とを備え、前記延長部材の移動に伴う前記垂壁の伸縮により、該垂壁の設置状態が変更可能とされた請求項７に記載の建物。
【請求項１０】
前記垂壁は、水平方向両端部に設けられた軸支部によって回動可能に支持され、前記軸支部を中心とした回動に伴う前記垂壁の傾斜により、該垂壁の設置状態が変更可能とされた請求項７に記載の建物。
【請求項１１】
前記垂壁の設置状態が変更されるように該垂壁を駆動する垂壁駆動部と、
前記垂壁駆動部を制御する垂壁制御手段と
を備えた請求項７乃至１０のいずれかに記載の建物。
【請求項１２】
前記凹状外空間に対する日射状況を検出する日射状況検出手段を備え、前記垂壁制御手段は、前記日射状況検出手段から得られる日射情報に基づいて垂壁の設置状態又は延長部材の移動を自動調節するように構成された請求項１１に記載の建物。
【請求項１３】
前記垂壁には、該垂壁の長手方向に沿って延びる複数のルーバが上下方向に並設された請求項１乃至１２のいずれかに記載の建物。
【請求項１４】
前記垂壁には、前記凹状外空間の奥に向かって突出する庇部材が設けられた請求項１乃至１３のいずれかに記載の建物。
【請求項１５】
前記庇部材が伸縮自在に構成された請求項１４に記載の建物。
【請求項１６】
前記庇部材の伸縮動作を駆動する庇駆動部と、
前記庇駆動部を制御する庇制御手段とを備えた請求項１５に記載の建物。
【請求項１７】
前記凹状外空間に対する日射状況を検出する日射状況検出手段を備え、前記庇制御手段は、前記日射状況検出手段から得られる日射情報に基づいて庇部材の伸縮動作を自動調節するように構成された請求項１６に記載の建物。
【請求項１８】
降雨を検出する降雨検出手段を備え、前記庇制御手段は、前記降雨検出手段により降雨が検出された場合に、前記庇部材を伸長させるように制御する請求項１６又は１７に記載の建物。
【請求項１９】
洗濯物等の被乾燥物を日に当てて乾燥させるべく、前記凹状外空間に前記被乾燥物が配置される被乾燥物配置領域が設定された建物であって、
降雨を検出する降雨検出手段と、
前記降雨検出手段により降雨が検出されると、前記被乾燥物配置領域に覆い被さるような態様で、前記垂壁及び前記庇部材の少なくともいずれか一方を駆動する降雨時制御手段と
を備えた請求項１４乃至１７のいずれかに記載の建物。
【発明の詳細な説明】
【技術分野】
【０００１】
本発明は、外壁面の一部が凹状に形成されることにより凹状外空間が設けられた建物に関する。
【背景技術】
【０００２】
住宅等の建物においては、外壁面の一部が凹状に形成されることにより、二面又は三面の外壁面で囲まれた凹状外空間が設けられる場合がある。この凹状外空間は一般にテラス（中庭）と呼ばれており、凹状外空間に面した部屋の採光性・通気性を高めたり、またアウトドアリビング等の開放感ある外空間として利用されたりする（特許文献１参照）。
【０００３】
しかしながら、上記凹状外空間には、夏期に強い日差しが差し込むと、せっかくの外空間が過ごしにくいものとなってしまうという懸念がある。
【０００４】
この点、建物の外壁に設けられた窓に関しては、室内に取り込まれる日射を調節する日射調節装置が従来から提案されている（特許文献２参照）。また、建物から張り出した半戸外空間に対する日射を調節するパネル装置も従来から提案されている（特許文献３参照）。
【０００５】
しかしながら、これらの従来技術は、あくまで窓から室内に取り込まれる日射の調節、半戸外空間に取り込まれる日射の調節を目的としたものであって、凹状外空間に対する日射調節という技術的思想は存在しない。
【特許文献１】特開２００１−１８２３４１号公報
【特許文献２】特開２００１−１２３７６５号公報
【特許文献３】特開平１１−３４３６６３号公報
【発明の開示】
【発明が解決しようとする課題】
【０００６】
そこで、本発明はこのような事情に鑑み、凹状外空間に対する日射が調節されて、該凹状外空間をより快適に過ごせる空間とすることができる建物の提供を主たる目的とする。
【課題を解決するための手段】
【０００７】
以下、上記課題を解決するのに有効な手段等につき、必要に応じて効果等を示しつつ説明する。
【０００８】
本発明は、外壁面の一部が凹状に形成されることによって設けられた凹状外空間を備え、該凹状外空間の上方は外に吹き抜ける構造となっている建物において、前記凹状外空間に対する日射を調整する垂壁が設けられた構成とする。この場合、凹状外空間に差し込む光が垂壁によって遮られることにより、太陽高度の高い夏期には、垂壁より奥側の下方に日陰領域が形成される。また、垂壁の配置位置の設定次第で、太陽高度の低い冬期には、垂壁より奥側の下方に陽だまり領域を形成できる。このように垂壁によって凹状外空間に対する日射を調節することが可能となり、該凹状外空間をより快適に過ごせる空間とすることができる。
【０００９】
なお、垂壁によって凹状外空間に対する日射を調節するという点からすれば、建物の南面となる外壁面の一部が凹状に形成されて凹状外空間が設けられることが好ましい。
【００１０】
また、前記凹状外空間は建物の下階部分からその直上の上階部分にかけて形成され、前記垂壁は下階部分と上階部分との境界部をまたぐように設けられることが好ましい。かかる構成によると、太陽高度の低い冬期において、垂壁より奥側の下方に陽だまり領域を広く形成することができる。垂壁より奥側の下方は、通常、人の活動領域となっているため、そこに陽だまり領域が広く形成されれば、冬期でも凹状外空間を快適に過ごせる空間とすることができる。
【００１１】
平面視コ字状をなす三面の外壁面により前記凹状外空間が形成され、前記垂壁は、前記三面の外壁面のうち、互いに向かい合う外壁面の間を橋渡すように設けられることが好ましい。両外壁面間の途中で途切れることなく、日射を調節できるからである。なお、この場合、垂壁は残りの外壁面と平行となるように設けられた方が垂壁による日射調節を好適に行える。
【００１２】
また、垂壁による日射調節は垂壁よりも奥側の領域に対して行われる。このため、前記凹状外空間を設けるべく一部が凹状に形成された前記外壁面と垂壁の前面とが略面一となるように前記垂壁が設けられること、すなわち前記凹状外空間の開放部に前記垂壁が設けられることで、日射調節を行える領域を拡大できる。また、凹状外空間の上方に向けた開放感の演出が、垂壁の存在によって阻害されることも回避できる。
【００１３】
平面視Ｌ字状をなす二面の外壁面により建物の角部に前記凹状外空間が形成され、前記垂壁は、前記凹状外空間内に立設された支柱と、前記両外壁面のうち一方の外壁面との間を橋渡すように設けられた構成としてもよい。これにより、平面視Ｌ字状をなす外壁面により形成された凹状外空間に対し、垂壁によって日射調節することができるようになる。なお、この場合も、垂壁は他方の外壁面と平行となるように設けられた方が垂壁による日射調節を好適に行える。
【００１４】
また、垂壁による日射調節は垂壁よりも奥の領域に対して行われる。このため、前記凹状外空間は平面視矩形状をなし、二面の外壁面で形成される入隅と対角位置に支柱が設けられれば、日射調節を行える領域を拡大できる。
【００１５】
前記垂壁の設置状態が変更可能となるように構成されれば、凹状外空間に差し込む日射状況に応じた設置状態に設定することが可能となり、垂壁による日射調節の範囲を広げることができる。
【００１６】
この設置状態の変更は、次のような構成によることが考えられる。
【００１７】
まず、前記垂壁の昇降により、垂壁の設置状態が変更される構成がある。これにより、垂壁を昇降させてその上下方向の配置位置を適宜変更すれば、太陽高度等、季節ごとの日射状況に合わせた日射調節が可能となる。
【００１８】
前記垂壁は、垂壁本体と、該垂壁本体に対して上下方向に移動して垂壁の上下長さを延長する延長部材とを備え、前記延長部材の移動に伴う前記垂壁の伸縮により、垂壁の設置状態が変更される構成も考えられる。前記延長部材が前記垂壁本体から突出する長さを変更することで前記垂壁を伸縮し、その上下長さ（高さ寸法）を適宜変更すれば、昇降自在とした構成と同様、季節ごとの日射状況に合わせた日射調節が可能となる。
【００１９】
前記垂壁は、水平方向両端部に設けられた軸支部によって回動可能に支持され、前記軸支部を中心とした回動に伴う前記垂壁の傾斜により、垂壁の設置状態が変更される構成も考えられる。これにより、垂壁が傾斜した状態では、太陽高度の高い夏期に、非傾斜状態の垂壁によって形成される日陰領域よりも広い日陰領域が形成され、凹状外空間をより快適な空間にすることができる。
【００２０】
これら各構成においては、前記垂壁の設置状態が変更されるように該垂壁を駆動する垂壁駆動部と、前記垂壁駆動部を制御する垂壁制御手段とを備えることが好ましい。これにより、垂壁制御手段によって垂壁駆動部を制御することで垂壁の設置状態の変更を自動的に行える。なお、垂壁駆動部としては、垂壁を昇降させる昇降駆動部、延長部材を移動させる延長駆動部、垂壁を傾斜させる傾斜駆動部などがある。
【００２１】
また、前記凹状外空間に対する日射状況を検出する日射状況検出手段を備え、前記垂壁制御手段は前記日射状況検出手段から得られる日射情報に基づいて垂壁の設置状態又は延長部材の移動を自動調節するように構成されることが好ましい。これにより、凹状外空間に対する日射が最適となるように垂壁の配置状態が自動制御されるため、ユーザが日射調節に気を配らなくてもよいというメリットがある。
【００２２】
前記垂壁には、該垂壁の長手方向に沿って延びる複数のルーバが上下方向に並設された構成としてもよい。これにより、ルーバを太陽高度に合わせた傾斜角度に調節して日射を遮るだけでなく、風通しを確保することもできる。また、傾斜状態にあるルーバ間から漏れる光を適宜取り込むことで、単に日射を遮るだけという単純な日射調節ではなくなり、日射調節の内容を広げることができる。
【００２３】
また、前記垂壁には、前記凹状外空間の奥に向かって突出する庇部材が設けられてもよい。かかる構成によると、夏期においては、垂壁によって形成される日陰領域に、庇部材によって形成される日陰領域が加わるため、日陰領域の範囲が広げられる。これにより、凹状外空間をより快適な空間にすることができる。
【００２４】
この場合、前記庇部材が伸縮自在に構成されると、庇部材による日陰領域の広さを適宜変更して日陰領域の広がりを調節することが可能となり、日射調節の範囲をより広げることができる。なお、庇部材にもルーバを設けて、そのルーバを適宜傾斜させれば、庇部材によって形成される日陰領域にルーバ間から漏れる光が適宜取り込まれるため、当該日陰領域における日射調節の内容を広げることができる。
【００２５】
庇部材が伸縮自在に設けられた構成では、前記庇部材の伸縮動作を駆動する庇駆動部と、前記庇駆動部を制御する庇制御手段とを備えることが好ましい。これにより、庇部材の伸縮動作を自動的に行える。
【００２６】
また、前記凹状外空間に対する日射状況を検出する日射状況検出手段を備え、前記庇制御手段は前記日射状況検出手段から得られる日射情報に基づいて庇部材の伸縮動作を自動調節するように構成されることが好ましい。これにより、庇部材を利用した日射調節でも日射状況に合わせた調節が自動的に行われるようになり、ユーザは日射調節に気を配らなくてよいというメリットがある。
【００２７】
さらに、降雨を検出する降雨検出手段を備え、前記庇制御手段は、前記降雨検出手段により降雨が検出された場合に、前記庇部材を伸長させるようにしてもよい。これにより、洗濯物等の被乾燥物が凹状外空間に存在する場合に、庇部材を雨よけとして利用することができる。
【００２８】
洗濯物等の被乾燥物を日に当てて乾燥させるべく、前記凹状外空間に前記被乾燥物が配置される被乾燥物配置領域が設定された建物である場合には、降雨を検出する降雨検出手段と、前記降雨検出手段により降雨が検出されると、前記被乾燥物配置領域に覆い被さるような態様で、前記垂壁及び前記庇部材の少なくともいずれか一方を駆動する降雨時制御手段とを備えるとよい。これにより、垂壁及び庇部材の少なくとも一方が、被乾燥物配置領域に配置された被乾燥物に対する雨よけとなるため、突然の降雨に慌てることなく、被乾燥物を室内に取り込むことができる等のメリットがある。
【発明を実施するための最良の形態】
【００２９】
以下、本発明を具体化した建物の一実施の形態を、図面を参照しつつ説明する。本実施形態では、ユニット式であり、かつ勾配屋根タイプの二階建て建物を例示している。
【００３０】
（建物の構成）
最初に、図１〜図３を参照しながら建物の構成を説明する。
【００３１】
図１は建物の概要を示す斜視図であり、図２は図１のＡ−Ａ概略断面図である。図１に示すように、建物１０は建物本体１１と、この建物本体１１の上方に配設される屋根１２とで構成されている。建物本体１１は、図２に示すように下階部分としての一階部分２１と上階部分としての二階部分２２とで構成され、各階に一階居室２３及び二階居室２４が設けられている。なお、図１及び図２において、建物本体１１の外壁面のうち、上下階の境界部分に設けられているのは胴差２５である。
【００３２】
建物本体１１の南面は、外壁面の一部が平面視においてコ字状をなす凹状に形成されている。これにより、建物本体１１も平面視においてコ字状をなしている。そして、建物本体１１には、コ字状をなす三面の外壁面に囲まれた、凹状外空間としてのテラス２６が形成されている。テラス２６はその南側が全面開放されるとともに、屋根１２がなく上方も外に開放された吹き抜け構造を有している。なお、テラス２６とは前記三面の外壁面で囲まれた空間全体をいうものとする。
【００３３】
この実施形態の建物本体１１は、その南面の一部が凹状に形成されたものとしている。そして、コ字状をなしてテラス２６を形成する前記三面の外壁面を、テラス２６を基準にそれぞれ北側壁面３１、西側壁面３２、東側壁面３３と呼び、また、南側の開放された部分を南側開放部３４と呼ぶことにする。
【００３４】
互いに向かい合う西側壁面３２と東側壁面３３との間には、南側開放部３４において、垂壁４１が設けられている。後述するように、垂壁４１はテラス２６に対する日射を調節するという主たる役割を有している。この垂壁４１は、北側壁面３１と平行な状態で両壁面３２，３３間を橋渡すように、また、その短手方向が上下方向に沿うようにして設けられている。垂壁４１が光を遮ることで形成される日陰領域の大小等、ユーザが所望する日射調節の程度、テラス２６の奥行き等の各種事情を基に、垂壁４１の高さ寸法（短手方向の長さ）Ｈ１は適宜の長さに設定される。ただ、あまりに高さ寸法Ｈ１を長くすると、南側に向けたテラス２６の開放感を損ねるため、少なくとも、建物本体１１の各階部分２１，２２の高さ寸法よりは短く設定されることが好ましい。
【００３５】
垂壁４１の両端部において、西側壁面３２及び東側壁面３３には、垂壁４１の昇降を案内する案内手段としてのガイドレール４２が設けられている。両ガイドレール４２は、一階部分２１の上部から二階部分２２の上部までの範囲で長手方向が上下方向となるように設けられている。これにより、垂壁４１はガイドレール４２の設置された範囲内で、同ガイドレール４２に案内されながら昇降するように構成されている。そして、垂壁４１がガイドレール４２の最下部に配置されると、垂壁４１の下端は一階部分２１の上部に配置され、垂壁４１は一階部分２１と二階部分２２との境界部（胴差２５）をまたぐように設けられる（図４参照）。一方、垂壁４１がガイドレール４２の最上部に配置されると、垂壁４１は二階部分２２の範囲内に配置される（図５参照）。
【００３６】
建物本体１１には垂壁４１を昇降動作させる垂壁駆動部としての昇降駆動部４３が設けられている。昇降駆動部４３は、電動モータ等の駆動手段と、その駆動手段の駆動力を垂壁４１の昇降動作に変換する連結機構とで構成されている。昇降駆動部４３は、建物本体１１の一階居室２３内に取り付けられた垂壁制御手段としてのコントローラ４４に接続されている。そして、コントローラ４４から出力される駆動信号により昇降駆動部４３が駆動される。なお、昇降駆動部４３を構成する駆動手段及び連結機構は、従来公知の技術を適宜利用できる。このため、それらの詳細な説明は省略する。
【００３７】
図３は垂壁４１の昇降動作を制御する制御システムのブロック図である。図３において、コントローラ４４は前述したように昇降駆動部４３の駆動制御を司るもので、ＣＰＵ等を有する周知のマイクロコンピュータを主体に構成されている。コントローラ４４には日射状況検出手段として、日射量を検出する日射量センサ４５、太陽高度（日射角度）を検出する太陽高度センサ４６がそれぞれ接続されている。これら日射状況を検出する各センサ４５，４６の検出信号がコントローラ４４に入力され、それを基にコントローラ４４は日射情報を逐次取得するようになっている。各センサ４５，４６は、例えば、垂壁４１の南面や、建物本体１１の南面のうち南側開放部３４周辺に設置される。
【００３８】
また、コントローラ４４には垂壁４１の昇降制御の状態を設定する設定装置４７が接続されている。設定装置４７は、例えばコントローラ４４と一体化されて、同コントローラ４４とともに一階居室２３内の内壁に取り付けられている。設定装置４７は、ユーザによって入力操作される入力部材が設けられている。入力部材としては、垂壁４１を上昇させる上昇ボタン、垂壁４１を下降させる下降ボタン、垂壁４１が日射情報に基づいて自動制御される自動制御開始ボタン等がある。これら各種の入力部材が押し操作されることにより、ユーザの要求に応じた昇降制御がなされるようになっている。なお、設定装置から離れた場所からでも無線で昇降制御ができるように、操作リモコンがさらに設けられる構成としてもよい。
【００３９】
そして、コントローラ４４は、上記日射情報、設定装置４７からの設定操作信号などに基づいて、垂壁４１の昇降制御を実施する。このとき、コントローラ４４から昇降駆動部４３に対して駆動信号が出力され、それに伴って垂壁４１が昇降動作されて駆動信号に応じた位置に配置される。
【００４０】
（建物に設けられた垂壁の作用）
次に、上記垂壁４１の作用を、図４及び図５を参照しながら説明する。
【００４１】
図４及び図５は、図２と同じＡ−Ａ概略断面図であり、図４は夏期（６月〜８月）、図５は冬期（１２月〜２月）のテラス２６の様子を示している。そのうち、（ａ）は垂壁４１が最下部に配置された状態、（ｂ）は垂壁４１が最上部に配置された状態をそれぞれ示している。
【００４２】
夏期の太陽高度（日射角度）は最も高い角度で７７．８度となる。図４（ａ）に示すように、このような高い角度で太陽光が射した場合でも、一階部分２１の上部に下端が配置された状態にある垂壁４１によって日射が遮られ、テラス２６には日陰領域Ｒ１が形成される。なお、図面上で、テラス２６を形成する底面３５上での日陰領域Ｒ１の範囲をＸ１とする。
【００４３】
垂壁４１を上昇させると、日陰領域Ｒ１は徐々に北側壁面３１側に移動する。そして、垂壁４１がガイドレール４２の最上部に配置されると、底面３５上での日陰領域Ｒ１の範囲Ｘ２は最下部に配置された場合の範囲Ｘ１より図４（ｂ）に示すだけ北側壁面３１側にずれる。
【００４４】
また、冬期の太陽高度は最も低い角度で３０．９度となる。図５（ａ）に示すように、このような低い角度から太陽が射した場合、垂壁４１の高さ寸法Ｈ１やテラス２６の奥行き等によって多少の違いがあるとはいえ、高い角度からの日射と異なり、テラス２６には一階部分２１の中央部から上部かけて日陰領域Ｒ２が形成される。これにより、冬期ではテラス２６の一階部分２１の下部に陽だまり領域（日陰領域Ｒ２を除く領域）が形成される。
【００４５】
ただ、図５（ａ）に示すように、北側壁面３１に近づくにつれて日陰領域Ｒ２はテラス２６の一階部分２１の下部にもかかり、北側壁面３１では最下部を除いて日陰領域Ｒ２にかかってしまう。このため、北側壁面３１に窓を有する一階居室２３に十分な日射を取り込めず、一階居室２３を温めることができない。その他、冬期においては、人の活動領域であるテラス２６の一階部分２１に、より多くの陽だまり領域を形成したい場合もある。そこで、垂壁４１を上昇させれば、日陰領域Ｒ２は徐々に上方へ移動し、テラス２６の一階部分２１に形成される陽だまり領域は拡大する。さらに、垂壁４１を最上部に配置すれば、図５（ｂ）に示すように、テラス２６の一階部分２１に形成される陽だまり領域が拡大されるだけでなく、より多くの日射が一階居室２３に取り込まれるようになる。
【００４６】
このように垂壁４１を昇降制御して適宜配置を設定すれば、テラス２６の一階部分２１に対する日射を季節に合わせて調節することができる。
【００４７】
そして、本実施形態では、この垂壁４１の昇降制御については二つの処理が設定されている。一つ目は手動制御であり、設定装置４７の上昇ボタンや下降ボタンが押し操作されたことに基づいて、コントローラ４４が昇降駆動部４３を制御するという処理である。これは、日射調節をユーザに委ねるもので、テラス２６に対する日射をユーザが所望する状態にすることができるというメリットがある。
【００４８】
二つ目は自動制御であり、設定装置４７の自動制御開始ボタンが操作されたことに基づいて、コントローラ４４が昇降駆動部４３を自動制御するという処理である。前述したように日射量センサ４５及び太陽高度センサ４６の検出結果に基づく日射情報をコントローラ４４が逐次取得できるようになっている。この自動制御処理によれば、日射情報を利用し、季節や時間帯等を考慮した上で、テラス２６の一階部分２１に対する日射が最適となるように垂壁４１の配置が自動制御される。なお、自動制御処理の詳細については省略する。この場合、開始ボタン一つでテラス２６に対する日射が最適な状態とされ、ユーザが日射調節に気を配らなくてもよいというメリットがある。
【００４９】
（本実施形態の効果）
以上詳述したように、本実施の形態によれば、以下の優れた効果を有する。
【００５０】
（１）本実施形態の建物１０は、南面の一部が平面視コ字状をなす凹状に形成されて、コ字状をなす北側壁面３１、西側壁面３２及び東側壁面３３の三面に囲まれたテラス２６が設けられている。そして、西側壁面３２と東側壁面３３との間を橋渡すように垂壁４１が設けられている。この垂壁４１により、太陽高度の高い夏期にはテラス２６の下部に日陰領域Ｒ１が形成される。
【００５１】
垂壁４１はその下端が一階部分２１の上部又はそれより上方に配置されるように設けられているため、太陽高度の低い冬期には、垂壁４１が存在してもテラス２６の下部に陽だまり領域が形成される。また、建物外からテラス２６の南側開放部３４を介してテラス２６に人が出入りするスペースも同時に確保できる。
【００５２】
このようにテラス２６に対する日射が調整される垂壁４１が設けられたことにより、テラス２６をより快適に過ごせる空間とすることができる。
【００５３】
また、前記垂壁４１が西側壁面３２と東側壁面３３との間を橋渡すようにして、両壁面３２，３３間の全域に設けられているため、両壁面３２，３３間の全域にわたり垂壁４１による日射調節を行うことができる。
【００５４】
（２）前記垂壁４１は、テラス２６の南側開放部３４に設けられている。垂壁４１による日射調節は垂壁４１よりも奥の領域に対して行われるため、その垂壁４１が南側開放部３４に設けられることで、日射調節を行える領域を拡大できる。また、テラス２６の上方に向けた開放感の演出が、垂壁４１の存在によって阻害されることも回避できる。
【００５５】
（３）本実施形態では、前記垂壁４１は昇降自在とされている。すなわち、垂壁４１を昇降動作させる昇降駆動部４３と、昇降駆動部４３を制御するコントローラ４４とを備え、垂壁４１はその両端部のガイドレール４２に沿って昇降動作されるように構成されている。これにより、垂壁４１を昇降させてその上下方向の位置を適宜変更すれば、太陽高度等、季節ごとの日射状況に合わせた日射調節が可能となり、テラス２６に対する日射をユーザが所望する状態とすることができる。
【００５６】
また、本実施形態では日射量センサ４５及び太陽高度センサ４６がコントローラ４４に接続され、これら各センサ４５，４６から得られる日射情報に基づいてコントローラ４４が垂壁４１の位置を自動調節する自動制御処理が行われるようになっている。これにより、季節や時間帯等を考慮した上で、テラス２６に対する日射が最適となるように垂壁４１の上下方向の位置が自動制御されるため、ユーザは日射調節に気を配らなくて済むというメリットもある。
【００５７】
（別の実施形態）
本発明の実施形態は上記内容に限定されず、例えば次のように実施してもよい。なお、以下で説明する各実施形態は、それぞれを個別に実施してもよいし、複合した形で実施してもよい。
【００５８】
（ア）垂壁４１に複数又は多数のルーバが設けられた構成としてもよい。図６はその構成例を示す概略断面図である。図６に示したように、垂壁４１には複数（この実施形態では６枚）のルーバ５１が上下方向に並設されている。各ルーバ５１は垂壁４１の長手方向に沿った長尺状をなす平板であり、ルーバ駆動部５２により一斉に任意の角度に傾斜されるようになっている。
【００５９】
ルーバ５１を傾斜させない場合、すなわち各ルーバ５１が上下方向に立った状態では、各ルーバ５１によりあたかも一枚の平板が形成されたかのようになる（二点鎖線で示した状態）。この状態が初期位置とされる。なお、この初期位置で上下に隣接するルーバ同士が一部重なるようにして各ルーバが配置されるようにしてもよい。一方、ルーバ５１を初期位置から傾斜させた場合には、上下に隣接する各ルーバ５１が等間隔で互いに平行をなすように配置される（実線で示した状態）。そして、前記ルーバ駆動部５２は、昇降駆動部４３とともにコントローラ４４に接続されており、コントローラ４４からルーバ駆動部５２に対して駆動信号が出力される。この駆動信号に伴ってルーバ５１は所定の傾斜角度に傾斜され又は初期位置へ復帰され、駆動信号に応じた状態となる。なお、このルーバ５１の駆動に関しても、日射情報を利用し、季節や時間帯等を考慮した上で、日射が最適となるようにルーバ５１の傾斜角度が自動制御されるようにしてもよい。
【００６０】
この構成によれば、ルーバ５１を太陽高度に合わせた傾斜角度に調節して日射を遮ることができるだけでなく、風通しをよくすることもできる。また、ルーバ５１を傾斜させれば、上下に隣接するルーバ５１間から光が漏れる。このルーバ５１間から漏れる光を適宜取り込むことで、単に日射を遮るだけという単純な日射調節ではなくなり、日射調節の範囲を広げることができる。
【００６１】
（イ）垂壁４１自身を昇降動作させることに代えて、垂壁４１を伸縮自在な構成、すなわち高さ寸法Ｈ１が変更可能となる構成としてもよい。その構成例を図７及び図８を参照しつつ説明する。図７はシャッタ装置を備えた垂壁の正面図（建物本体１１の南側の外から見た図）、図８はその垂壁を有する建物の概略断面図である。なお、図８（ａ）は夏期、（ｂ）は冬季における状態を示している。
【００６２】
図７に示すように、西側壁面３２と東側壁面３３との間を橋渡す垂壁６１は、建物本体１１の二階部分２２に設けられた垂壁本体６２と、垂壁本体６２に設けられた巻取り式のシャッタ装置６３とを備えている。垂壁本体６２は上記実施形態における垂壁４１の高さ寸法Ｈ１よりも短い高さ寸法Ｌ１を有する。シャッタ装置６３は垂壁本体６２に内蔵された巻取りドラム６４と、巻取りドラム６４に巻回された状態で垂壁本体６２に収納される延長部材としてのシャッタカーテン６５とを有している。巻取りドラム６４は、電動モータ等からなる垂壁駆動部（延長駆動部）としての巻取り駆動部６６により正逆いずれかの方向に回転され、これによりシャッタカーテン６５の巻取り又は引き出しが行われる。シャッタカーテン６５は多数のスラット６７が上下に連結され、西側壁面３２及び東側壁面３３に設けられたガイドレール６８に両端部が案内されながら一体的に昇降するように構成されている。また、各スラット６７は、スラット駆動部６９によりその傾斜角度を調節してシャッタカーテン６５が開閉されるように構成されている。なお、各スラット６７間を連結する構成及び傾斜角度を調節する構成はそれぞれ周知のものであり、その詳細な説明は省略する。
【００６３】
図８（ａ）に示すように、シャッタカーテン６５がすべて巻き取られた状態（巻取り状態）では、垂壁６１の高さ寸法Ｈ２は垂壁本体６２の高さ寸法Ｌ１と同じになる。一方、シャッタカーテン６５が垂壁本体６２から引き出された状態（引き出し状態）では、垂壁６１の高さ寸法Ｈ３は、垂壁本体６２の高さ寸法Ｌ１に、引き出されたシャッタカーテン６５が垂壁本体６２から突出する長さが加わった寸法となる。そして、夏期においては、巻取り状態の垂壁６１（寸法Ｈ２）によってテラス２６に形成される日陰領域Ｒ３に加え、シャッタカーテン６５が突出する長さ分の日陰領域Ｒ４も形成され、全体として日陰領域は広げられる。また、冬期においては、図８（ｂ）に示すように、シャッタカーテン６５による日陰領域Ｒ４により一階居室２３に取り込まれる日射は少なくなる。このため、シャッタカーテン６５を巻き取って日陰領域Ｒ４を少なくするか又は垂壁本体６２による日陰領域Ｒ５だけにすれば、日陰領域が狭められてより多くの日射を一階居室２３に取り込むことができる。
【００６４】
このように垂壁６１の高さ寸法を変更することにより、垂壁６１自身を昇降させるのと同様、テラス２６の一階部分２１に対する日射調節を季節に合わせて行うことができる。そして、前記巻取り駆動部６６を前記コントローラ４４に接続し、シャッタ装置６３の制御についても、垂壁４１の昇降制御と同様、手動制御と、日射状況を検出するセンサを利用した自動制御の両制御が行われることが好ましい。また、スラット６７を傾斜させれば上記（ア）と同様、風通しを確保したり、スラット６７の間から漏れる光を適宜取り込んだりして、日射調節の内容を広げることができる。
【００６５】
なお、上記構成において、スラット６７は傾斜機能を持たずに遮蔽機能のみ有する構成とされてもよい。また、延長部材としてはシャッタ装置６３のシャッタカーテン６５の他、例えば、平板状の遮蔽体、プリーツスクリーンのように折り目が形成された遮蔽体、ジグザグに連結された遮蔽パネル等であってもよい。
【００６６】
さらに、垂壁６１を伸縮自在とする構成は、延長部材を用いた構成に限定されず、例えば図９に示すように板状の遮蔽部材７４が複数連結された構成等でもよい。ここで、図９に示す構成について若干の説明を加える。なお、図９は垂壁の縦断面図である。
【００６７】
図９に示すように、垂壁７１は固定レール７２、その固定レール７２の下方に設けられた可動レール７３、両レール７２，７３の間に設けられた板状をなす複数の遮蔽部材７４を備えている。各遮蔽部材７４は左右（図面上）に二列配置されるとともに、右列の遮蔽部材７４は左列の遮蔽部材７４より下にずらされている。そして、最上部の遮蔽部材７４は固定レール７２に、最下部の遮蔽部材７４は可動レール７３にそれぞれ取り付けられている。左右の遮蔽部材７４同士が接触する面には上下方向に長孔（図示略）が形成されている。長孔には連結棒７５が設けられており、この連結棒７５により左右に隣り合う遮蔽部材７４の間が連結されている。そして、図９に示すように、可動レール７３を下降させると、連結棒７５による連結が維持される範囲で上下に隣り合う遮蔽部材７４の間が徐々に離間し、垂壁７１の高さ寸法が長くなる。逆に、可動レール７３を上昇させれ当初の状態に戻る。このようにして、垂壁７１が伸縮自在に構成されている。
【００６８】
（ウ）垂壁４１を昇降動作させることに代えて、垂壁４１を固定式とし、垂壁４１の両端部が西側壁面３２及び東側壁面３３に直接固定された構成としてもよい。こうすることで、昇降動作させる等の構成に比べて日射調節の範囲は狭まるものの、コスト面では有利となるため垂壁４１の設置が容易となる。
【００６９】
（エ）垂壁４１に、テラス２６の奥側へ出するように庇部材が設けられた構成としてもよい。その構成例として、垂壁４１の上端部において、水平方向に突出する庇部材８１が設けられた構成を図１０に示す。かかる構成により、夏期においては、垂壁４１によってテラス２６に形成される日陰領域Ｒ１に、庇部材８１によって形成される日陰領域Ｒ５が加わるため、日陰領域の範囲が広げられる。これにより、テラス２６の一階部分２１を快適な空間にすることができる。
【００７０】
また、庇部材８１が水平方向に伸縮自在となる構成、例えば上記（イ）のシャッタカーテン６５のように、庇部材８１が垂壁４１から引き出されたり収納されたりする構成とすれば、日射領域の広がりを調節することが可能となり、より日射調節の範囲を広げることができる。それに加え、太陽高度の低い冬期において、庇部材８１によって二階居室２４への日射の取り込みが阻害されることも防げる。
【００７１】
庇部材８１が前記シャッタカーテン６５の如く伸縮自在に構成された場合、前記巻取り駆動部６６に相当する庇駆動部が設けられる。そして、この庇駆動部を前記コントローラ４４に接続し、庇部材８１の伸縮制御についても、垂壁４１の昇降制御と同様、手動制御と、日射状況を検出するセンサを利用した自動制御の両制御が行われることが好ましい。この場合、前記コントローラ４４は庇制御手段としての役割も担う。
【００７２】
なお、この庇部材８１を形成する材質を半透明なものとしたり、庇部材８１にルーバを内蔵したりすれば、単なる日陰領域とは違って微妙な光を適宜取り込むことが可能となる。これにより、庇部材８１によって形成される日陰領域での日射調節の内容を広げることができる。
【００７３】
ところで、庇部材８１が設けられた構成では、垂壁４１、庇部材８１、建物本体１１の外壁面等に設けられた降雨検出手段としての降雨検出センサを、前記コントローラ４４に接続してもよい。そして、この降雨検出センサにより降雨が検出されると、コントローラ４４は庇部材８１を伸長させるように庇駆動部を制御する。これにより、テラス２６に洗濯物等の被乾燥物が存在する場合に、庇部材８１を雨よけとして利用することができる。
【００７４】
また、洗濯物等の被乾燥物を日に当てて乾燥させるため、前記被乾燥物を配置する被乾燥物配置領域がテラス２６に設定されている場合、庇部材８１だけでなく、垂壁４１も被乾燥物に対する雨よけとして利用する構成としてもよい。すなわち、降雨が検出されると、コントローラ４４は、垂壁４１，６１及び庇部材８１が前記被乾燥物配置領域に覆い被さった態様となるように、その垂壁４１，６１及び庇部材８１を駆動制御する。ここでは、コントローラ４４が降雨時制御手段としての役割も担っている。
【００７５】
これにより、例えば、被乾燥物の南側開放部３４側の側方から上方にかけて、垂壁４１，６１及び庇部材８１が被乾燥物に被せられたような状態とすることが可能となる。そうなれば、垂壁４１，６１及び庇部材８１が被乾燥物に対する雨よけとなるため、突然の降雨でも慌てることなく被乾燥物を室内に取り込むことができる等のメリットがある。なお、この場合、垂壁４１，６１及び庇部材８１のうち、いずれか一方のみを駆動させるようにしてもよい。
【００７６】
（オ）垂壁４１が傾斜される構成としてもよい。その構成例を図１１に示す。同図に示すように、垂壁４１は、水平方向の両端部に設けられた軸支部９１によって回動可能に支持されている。この軸支部９１を中心として垂壁４１は傾斜される。この構成例では、垂壁４１の上端部に軸支部９１が設けられており、垂壁４１はテラス２６の奥側に向けて傾斜されるようになっている。この垂壁４１の傾斜動作は、垂壁駆動部としての傾斜駆動部により行われる。傾斜駆動部は電動モータ等の駆動手段と、その駆動手段の駆動力を垂壁４１の傾斜動作に変換する連結機構とで構成されている。そして、傾斜駆動部を前記コントローラ４４に接続し、垂壁４１の昇降制御と同様、手動制御と、日射状況を検出するセンサを利用した自動制御の両制御が行われることが好ましい。なお、軸支部９１は垂壁４１の下端部又は上下方向の中央部に設けられてもよく、その場合、垂壁４１はテラス２６の開放側に向けて傾斜されるように構成してもよい。
【００７７】
このように垂壁４１を傾斜させると、太陽高度の高い夏期においては、初期位置の垂壁４１によって形成される日陰領域Ｒ１よりも広い日陰領域Ｒ６が形成され、テラス２６の一階部分２１を快適な空間にすることができる。また、垂壁４１を傾斜させると、正面視における（建物本体１１の南側の外から見たときの）垂壁４１の高さ寸法Ｈ４は、初期位置における高さ寸法（垂壁４１自身の高さ寸法）Ｈ１より、見かけ上短くなっている。このため、図示を省略するが、太陽高度の低い冬期には、垂壁４１を傾斜させることにより上記（イ）と同様の効果が得られる。すなわち、傾斜状態の垂壁４１によって形成される日陰領域は、初期位置の垂壁４１によって形成される日陰領域よりも狭められて、より多くの日射を一階居室２３に取り込むことができる。
【００７８】
（カ）西側壁面３２と東側壁面３３との間を常に橋渡した状態にある垂壁４１に代えて、開閉式の遮蔽部材によって垂壁が構成されてもよい。開閉式の型式としては、上記（イ）のシャッタ装置６３のように上下に開閉させる構成と、カーテンのように左右に開閉させる構成とが考えられる。このうち、左右に開閉させる構成例を図１２に示す。図１２はテラス２６の南側開口部３４周辺を示す概略上面図である。同図に示すように、西側壁面３２と東側壁面３３との間には両者の間を橋渡すようにガイドレール１０１が設けられている。ガイドレール１０１は上下に一対設けられており、両ガイドレール１０１間の開口部（図示略）には遮蔽部材１０２が設けられている。遮蔽部材１０２は複数の遮蔽パネル１０３がジグザグに連結されており、電動モータ等のパネル駆動部１０４により上下のガイドレール１０１で案内されながら西側又は東側いずれか一方に折り畳まれたり、引き出されたりするようになっている。そして、図１２に示すように遮蔽パネル１０３を引き出して、上下のガイドレール１０１間及び両壁面３２，３３間を閉塞すれば、遮蔽部材１０２によって垂壁が構成される。遮蔽パネル１０３を折り畳めば（西側に折り畳まれた状態を二点差線で図示している。）、ガイドレール１０１間の開口部が開放されるため、風通しの確保や日射の取り込みが可能となる。
【００７９】
なお、遮蔽部材１０２は遮蔽パネル１０３の連結に限定されず、例えばカーテンのように折り目が形成された遮蔽体によって構成されてもよい。また、上下に配置されるガイドレール１０１の数を増加させて複数の開口部を形成し、各開口部に遮蔽部材１０２が設けた構成としてもよい。この場合、上部の開口部を閉塞した状態で下部の開口部を閉塞したり開放したりすることで、垂壁４１の高さ寸法を変更するのと同じ機能が得られる。また、上下の開口部のうちいずれか一方だけを閉塞すれば、垂壁４１自身を昇降させて垂壁４１の上下方向の配置位置を変更するのと同じ機能が得られる。
【００８０】
（キ）建物本体１１の南面で外壁面が凹状に形成されるのではなく、他の方角の外壁面が凹状に形成されてテラス２６が形成されてもよい。また、南面に加えて他の方角面においても、外壁面の一部が平面視凹状に形成されていてもよい。この場合、テラス２６が複数形成されることになるが、すべてのテラス２６に垂壁４１が設けられた構成としてもよいし、任意のテラス２６を選択してそのテラス２６にのみ垂壁４１が設けられた構成としてもよい。
【００８１】
（ク）垂壁４１の両端部が建物本体１１の西側壁面３２及び東側壁面３３に設けられる構成に代え、図１３の屋根伏図に示すように両壁面３２，３３に沿って一対の支柱１１１が立設され、その支柱１１１間に垂壁４１が設けられた構成としてもよい。この場合、ガイドレール４２もこの支柱１１１に設けられることになる。なお、一方の壁面に沿って一本の支柱１１１が設けられ、その支柱１１１と他方の壁面との間に垂壁４１が設けられる構成であってもよい。
【００８２】
（ケ）外壁面の一部が平面視コ字状をなす凹状に形成されることでテラス２６が設けられる構成に代え、図１４の屋根伏図に示すように建物本体１１の角部が平面視においてＬ字状をなす凹状に形成された構成としてもよい。この場合、テラス１２１は北側壁面１２２及び西側壁面１２３によって平面視矩形状に形成される。そして、両壁面１２２，１２３により形成される入隅と対角位置に支柱１２４が立設され、その支柱１２４と北側壁面１２２及び西側壁面１２３のそれぞれとの間を橋渡すように垂壁４１が設けられる。この別形態のテラス１２１に対しても、垂壁４１が設けられたことにより、上記実施形態と同様の効果を得ることができる。なお、北側壁面１２２又は西側壁面１２３に沿って別の支柱が立設されて、その別の支柱との間に垂壁４１が設けられる構成としてもよいし、一方の壁面との間にだけ垂壁４１が設けられる構成としてもよい。
【００８３】
（コ）建物本体１１の一階部分２１から二階部分２２にかけて形成されたテラス２６に代えて、一階部分２１の屋上に形成されたテラスであってもよい。
【００８４】
また、ユニット式、かつ勾配屋根タイプの二階建て建物１０はあくまで例示にすぎず、これに代えて、鉄骨軸組工法や在来工法による建物、陸屋根タイプの建物等、その他の建物にも適用できる。
【図面の簡単な説明】
【００８５】
【図１】本実施形態の建物の概要を示す斜視図である。
【図２】図１のＡ−Ａ概略断面図である。
【図３】垂壁の昇降動作を制御する制御システムのブロック図である。
【図４】夏期の様子を示すＡ−Ａ概略断面図である。（ａ）は垂壁が最下部に配置された状態、（ｂ）は垂壁が最上部に配置された状態を示している。
【図５】冬期の様子を示すＡ−Ａ概略断面図である。（ａ）は垂壁が最下部に配置された状態、（ｂ）は垂壁が最上部に配置された状態を示している。
【図６】垂壁に複数のルーバが設けられた別の実施形態を示す一部概略断面図である。
【図７】別の実施形態として、シャッタ装置を備えた垂壁の正面図である。
【図８】シャッタ装置を備えた垂壁を有する建物のＡ−Ａ概略断面図である。（ａ）は夏期、（ｂ）は冬季の状態を示している。
【図９】別の実施形態の垂壁を示す縦断面図である。
【図１０】垂壁に庇部材が設けられた別の実施形態を示すＡ−Ａ概略断面図である。
【図１１】垂壁が傾斜される別の実施形態を示すＡ−Ａ概略断面図である。
【図１２】別の実施形態の垂壁を示す概略上面図である。
【図１３】支柱間に垂壁が設けられた別の実施形態を示す屋根伏図である。
【図１４】角部にテラスが形成された別の実施形態を示す屋根伏図である。
【符号の説明】
【００８６】
１０…建物、１１…建物本体、２１…下階部分としての一階部分、２２…上階部分としての二階部分、２５…胴差（境界部）、２６…凹状外空間としてのテラス、３２…西側壁面、３３…東側壁面、３４…南側開放部、４１…垂壁、４３…垂壁駆動部としての昇降駆動部、４４…垂壁制御手段としてのコントローラ、４５…日射量センサ、４６…太陽高度センサ、５１…ルーバ、６１…垂壁、６２…垂壁本体、６５…延長部材としてのシャッタカーテン、６６…垂壁駆動部としての巻取り駆動部、８１…庇部材、９１…軸支部、１１１…支柱、１２１…凹状外空間としてのテラス、１２２…北側壁面、１２３…西側壁面、Ｈ１〜Ｈ４…垂壁の高さ寸法、Ｒ１〜Ｒ６…日陰領域。
【図１】
2008231801.tif 000003
【図２】
2008231801.tif 000004
【図３】
2008231801.tif 000005
【図４】
2008231801.tif 000006
【図５】
2008231801.tif 000007
【図６】
2008231801.tif 000008
【図７】
2008231801.tif 000009
【図８】
2008231801.tif 000010
【図９】
2008231801.tif 000011
【図１０】
2008231801.tif 000012
【図１１】
2008231801.tif 000013
【図１２】
2008231801.tif 000014
【図１３】
2008231801.tif 000015
【図１４】
2008231801.tif 000016